(57)【要約】【課題】キーコードを変更するに当って、ローターの施錠軸部から回転角度規制用のストッパーなどを取り外す煩雑な作業が不要となり、キーコードの変更が簡単かつ迅速に行える可変型軸方向ピンタンブラー錠を提供する。【解決手段】回転始端で施錠状態となり回転終端で解錠状態となる通常の回転領域内にキーコード変更位置を設定し、子キーＫ１、Ｋ２については、施錠位置において固定本体１の位置決め溝２３を通過し、解錠位置において内向き鍔部２１の背面に係合する位置決め突起２７を筒状部の先端部外面に突設する一方、チェンジキーＣＫ１，ＣＫ２については、キーコード変更位置において筒状部をキー嵌め入れ孔２２に抜差しするとき、固定本体１側の指標部２６と位置合わせされる位置決め部２７を、固定本体１の内向き鍔部２１と干渉しないように筒状部の先端部外面に設ける。【選択図】    図１
2004332309.tif 000002
【特許請求の範囲】
【請求項１】
固定本体１の円筒状空洞部２の底側に固定本体１と一体形成した又は固定本体１に嵌め合わせ固定したステーター３を配置し、ステーター３の前面よりステータ３の中心部に軸受孔４を軸方向に貫通して形成し、ステーター３の前面より複数個のボトムピン孔５と少なくとも１個のチェンジピン貯蔵孔６を同一円周上に配置して軸方向に非貫通に形成し、固定本体１の円筒状空洞部２にローター７を回転可能に収容し、ローター７の後方部の施錠軸部８をステーター３の軸受孔４に嵌挿して固定本体１より突出させ、施錠軸部８に連結したストッパー９を固定本体１側の回転角度規制部１０，１１に係脱させてローター７を施錠位置または解錠位置にて回転停止させ、ローター７の中間部のマガジン部１２に複数個のタンブラーピン孔１３を前記ボトムピン孔５に対応させて軸方向に貫通して形成し、施錠位置において相連通するボトムピン孔５とタンブラーピン孔１３の複数組のうち少なくとも１組には、当該錠に割り当てられたキーコードに対応して長さを個別設定されたタンブラーピン１４と、キーコード変更によってチェンジピン貯蔵孔６に出し入れされるチェンジピン１５と、バネ１７で前進付勢されたボトムピン１６を収容し、残りの組には前記タンブラーピン１４とボトムピン１６を収容し、キーコード変更位置において特定のタンブラーピン孔１３と相連通するチェンジピン貯蔵孔６にはバネ１９で前進付勢されたアンダーピン１８を収容し、ローター７の前方部の外向き鍔部２０の背面または固定本体１の前端部の内向き鍔部２１の背面にタンブラーピン１４の前端を当接させ、固定本体１の内向き鍔部２１とローター７の前方部外周面との間にキー嵌め入れ孔２２を環状に形成し、固定本体１の内向き鍔部２１に軸方向に貫通して位置決め溝２３を形成し、キー嵌め入れ孔２２より抜差しされる子キーＫ１，Ｋ２の筒状部とチェンジキーＣＫ１，ＣＫ２の筒状部にタンブラーピン１４の前端を押す操作段部２４を形成し、各操作段部２４の個別設定された深さに対応して、全てのタンブラーピン１４とボトムピン１６の当接点をステーター３とマガジン部１２のシャーライン上に移動させるとともに、チェンジピン１５をチェンジピン貯蔵孔６に送り込むか、チェンジピン１５をチェンジピン貯蔵孔６より取り出すようにした可変コード型軸方向ピンタンブラー錠において、
回転始端で施錠状態となり回転終端で解錠状態となる通常の回転領域内にキーコード変更位置を設定し、子キーＫ１，Ｋ２については、施錠位置において固定本体１の位置決め溝２３を通過し、解錠位置において内向き鍔部２１の背面に係合する位置決め突起２５を筒状部の先端部外面に突設し、チェンジキーＣＫ１，ＣＫ２については、キーコード変更位置において筒状部をキー嵌め入れ孔２２に抜差しするとき、固定本体１側の指標部２６と位置合わせされる位置決め部２７を、固定本体１の内向き鍔部２１と干渉しないように筒状部の先端部外面に設けたことを特徴とする可変コード型軸方向ピンタンブラー錠。
【請求項２】
円柱状としたローター７の前方部外面又はマガジン部１２の前面に、キー嵌め入れ孔２２内に位置するように受動突起２８を設け、子キーＫ１，Ｋ２の筒状部とチェンジキーＣＫ１，ＣＫ２の筒状部の内面に受動突起２８が係合する駆動溝２９を形成したことを特徴とする請求項１に記載の可変コード型軸方向ピンタンブラー錠。
【発明の詳細な説明】
【０００１】
【発明の属する技術分野】本発明は、必要に応じてキーコードを変更可能な可変コード型軸方向ピンタンブラー錠に関する。
【０００２】
【従来の技術】従来の可変コード型の軸方向ピンタンブラー錠では、固定本体の円筒状空洞部の底側にステーターを嵌め合わせ固定し、ステーターの中心部に軸受孔を軸方向に貫通して形成し、ステーターの前面より複数個のボトムピン孔と少なくとも１個のチェンジピン貯蔵孔を同一円周上に配置して軸方向に非貫通に形成し、固定本体の円筒状空洞部にローターを回転可能に収容し、ローターの後方部の施錠軸部をステーターの軸受孔に嵌挿して固定本体より突出させ、施錠軸部に連結したストッパーを固定本体側の回転角度規制部に係脱させてローターを施錠位置または解錠位置にて回転停止させ、ローターの中間部のマガジン部に複数個のタンブラーピン孔を前記ボトムピン孔に対応させて軸方向に貫通して形成してある。
【０００３】
そして、施錠位置において相連通するボトムピン孔とタンブラーピン孔の複数組のうち少なくとも１組には、当該錠に割り当てられたキーコードに対応して長さを個別設定されたタンブラーピンと、コード変更によってチェンジピン貯蔵孔に出し入れされるチェンジピンと、バネで前進付勢されたボトムピンを収容し、残りの組には前記タンブラーピンとボトムピンを収容し、コード変更位置において特定のタンブラーピン孔と相連通するチェンジピン貯蔵孔にはバネで前進付勢されたアンダーピンを収容し、ローターの前方部の外向き鍔部の背面にタンブラーピンの前端を当接させてある。
【０００４】
そして、固定本体の内向き鍔部とローターの外向き鍔部との間にキー嵌め入れ孔を環状に形成し、固定本体の内向き鍔部に軸方向に貫通して位置決め溝を形成し、キー嵌め入れ孔より抜差しされる子キーの筒状部にタンブラーピンの前端を押す操作段部を形成し、各操作段部の個別設定された深さに対応して、全てのタンブラーピンとボトムピンの当接点をステーターとマガジン部のシャーライン上に移動させるとともに、チェンジピンをチェンジピン貯蔵孔に送り込むか、チェンジピンをチェンジピン貯蔵孔より取り出すものである（特許文献１参照）。
【０００５】
しかしながら、この可変コード型軸方向ピンタンブラー錠では、回転始端で施錠状態となり回転終端で解錠状態となる通常の回転領域の外側にコード変更位置を設定してあり、各子キーの筒状部の先端部外面には、施錠位置において固定本体の位置決め溝を通過し、解錠位置において固定本体の内向き鍔部の背面に係合する位置決め突起を突設してあるため、キーコードの変更に当っては、固着用ナットやボルトを緩めてストッパーとロックプレートをローターの施錠軸部から取り外す必要があり、キーコード変更の前作業と後作業が煩雑であった。
【０００６】
また、子キーの筒状部の先端部内面に駆動突起を設け、ローターの前方部の前面にその円周面から中心に向かって入り込んだ受動溝を形成し、駆動突起を受動溝に係合させることによって、子キーから回転力をローターに伝達するようになっているため、ドライバーなどの工具を前記受動溝に差し込んで、ローターを強制回転させることができ、暴力破壊による不正解錠の問題があった。
【０００７】
【特許文献１】特開昭６０−５９８０号公報
【０００８】
【発明が解決しようとする課題】したがって本発明の目的は、キーコードの変更に当ってストッパーなどをローターの施錠軸部から取り外す必要がなく、変更操作が簡単かつ迅速に行える可変コード型軸方向ピンタンブラー錠を提供することである。
本発明の別の目的は、キーコード変更操作が簡便に行えるとともに、暴力破壊による不正解錠に対して強い可変コード型軸方向ピンタンブラー錠を提供することである。
【０００９】
【課題を解決するための手段】請求項１の発明は、固定本体１の円筒状空洞部２の底側に固定本体１と一体形成した又は固定本体１に嵌め合わせ固定したステーター３を配置し、ステーター３の前面よりステーター３の中心部に軸受孔４を軸方向に貫通して形成し、ステーター３の前面より複数個のボトムピン孔５と少なくとも１個のチェンジピン貯蔵孔６を同一円周上に配置して軸方向に非貫通に形成し、固定本体１の円筒状空洞部２にローター７を回転可能に収容し、ローター７の後方部の施錠軸部８をステーター３の軸受孔４に嵌挿して固定本体１より突出させ、施錠軸部８に連結したストッパー９を固定本体１側の回転角度規制部１０，１１に係脱させてローター７を施錠位置または解錠位置にて回転停止させ、ローター７の中間部のマガジン部１２に複数個のタンブラーピン孔１３を前記ボトムピン孔５に対応させて軸方向に貫通して形成し、施錠位置において相連通するボトムピン孔５とタンブラーピン孔１３の複数組のうち少なくとも１組には、当該錠に割り当てられたキーコードに対応して長さを個別設定されたタンブラーピン１４と、コード変更によってチェンジピン貯蔵孔６に出し入れされるチェンジピン１５と、バネ１７で前進付勢されたボトムピン１６を収容し、残りの組には前記タンブラーピン１４とボトムピン１６を収容し、キーコード変更位置において特定のタンブラーピン孔１３と相連通するチェンジピン貯蔵孔６にはバネ１９で前進付勢されたアンダーピン１８を収容し、ローター７の前方部の外向き鍔部２０の背面または固定本体１の前端部の内向き鍔部２１の背面にタンブラーピン１４の前端を当接させ、固定本体１の内向き鍔部２１とローター７の前方部外周面との間にキー嵌め入れ孔２２を環状に形成し、固定本体１の内向き鍔部２１に軸方向に貫通して位置決め溝２３を形成し、キー嵌め入れ孔２２より抜差しされる子キーＫ１，Ｋ２の筒状部とチェンジキーＣＫ１，ＣＫ２の筒状部にタンブラーピン１４の前端を押す操作段部２４を形成し、各操作段部２４の個別設定された深さに対応して、全てのタンブラーピン１４とボトムピン１６の当接点をステーター３とマガジン部１２のシャーライン上に移動させるとともに、チェンジピン１５をチェンジピン貯蔵孔６に送り込むか、チェンジピン１５をチェンジピン貯蔵孔６より取り出すようにした可変コード型軸方向ピンタンブラー錠において、
回転始端で施錠状態となり回転終端で解錠状態となる通常の回転領域内にキーコード変更位置を設定し、子キーＫ１，Ｋ２については、施錠位置において固定本体１の位置決め溝２３を通過し、解錠位置において内向き鍔部２１の背面に係合する位置決め突起２５を筒状部の先端部外面に突設し、チェンジキーＣＫ１，ＣＫ２については、キーコード変更位置において筒状部をキー嵌め入れ孔２２に抜差しするとき、固定本体１側の指標部２６と位置合わせされる位置決め部２７を、固定本体１の内向き鍔部２１と干渉しないように筒状部の先端部外面に設けたものである。
【００１０】
請求項２の発明の可変コード型軸方向ピンタンブラー錠は、請求項１の発明の前記構成に加えて、円柱状としたローター７の前方部外面又はマガジン部１２の前面に、キー嵌め入れ孔２２内に位置するように受動突起２８を設け、子キーＫ１，Ｋ２の筒状部とチェンジキーＣＫ１，ＣＫ２の筒状部の内面に受動突起２８が係合する駆動溝２９を形成したものである。
【００１１】
【発明の作用】本発明の可変コード型軸方向ピンタンブラー錠では、ストッパー９の一方の肩部９ａが一方の回転角度規制部１０に当接したとき、施錠軸部８に連結したロックプレート３０は筐体側のストライク（図示していない）に係合しており、ローター７は施錠位置にある。
この施錠位置においては、ボトムピン孔５とタンブラーピン孔１４が相連通しており、子キーＫ１がキー嵌め入れ孔２２から抜き取られると、図１３の（ａ）に示したようにバネ１７で前進付勢されたボトムピン１６は、チェンジピン１５とタンブラーピン１４を押し上げて、その先端部分がローター７のタンブラピン孔１３に入り込み、これによってローター７は固定本体１に対して回転不能に拘束される。アンダーピン１８の先端はマガジン部１２の背面に当接している。
【００１２】
固定本体１の位置決め溝２３に子キーＫ１の位置決め突起２５を合わせて、図１３の（ｂ）に示したように子キーＫ１をキー嵌め入れ孔２２に差し込むと、個別設定されている操作段部２４の深さに対応した距離だけタンブラーピン１４が軸方向に押し込まれ、チェンジピン１５とボトムピン１６の当接点がステーター３とマガジン部１２のシャーライン上に移動させられ、ボトムピン１６は固定本体１のボトムピン孔５に押し戻される。これによって固定本体１に対するローター７の回転拘束が解除されたので、子キーＫ１の駆動溝２９からローター７の受動突起２８に回転力を伝達して、ローター７を時計回り方向に所定角度（通常例では９０度）回転させる。
【００１３】
前記回転の終端においてストッパー９の他方の肩部９ｂが他方の回転角度規制部１１に当接することによってローター７は回転停止する。この解錠位置では、ロックプレート３０は前記ストライクから離脱しており、子キーＫ１の位置決め突起２５は、固定本体１の内向き鍔部２１の背面に係合しており、子キーＫ１の脱落が阻止されている。扉（図示していない）が軽量であるときには、子キーＫ１を手前に引くと、子キーＫ１の位置決め突起２５が固定本体１の内向き鍔部２１を牽引することによって、扉が開放される。扉が軽量でないときには、別途用意されている取手などを使用して扉が開放操作される。
【００１４】
所要の作業終了後、扉を閉鎖してからローター７を反時計回り方向に前記角度だけ戻し回転させると、ストッパー９の肩部９ａが回転角度規制部１０に当接し、ロックプレート３０がストライクと再度係合する。この施錠位置において子キーＫ１をキー嵌め入れ孔２から抜き取ると、ピン配列は図１３の（ａ）に示した状態となり、固定本体１に対するローター７の回転拘束が再び成立する。
【００１５】
キーコードを変更する必要が生じたとき、すなわち第１の子キーＫ１を使用中止にして第２の子キーＫ２を使用開始したいときには、図１４の（ａ）に示したように第１の子キーＫ１が抜き取られ、ボトムピン孔５とタンブラーピン孔１４が相連通している施錠位置において、操作段部２４が第１の子キーＫ１と同じに形成されている第１のチェンジキーＣＫ１を、キー嵌め入れ孔２に差し込む。この差し込みに当っては、チェンジキーＣＫ１の位置決め部２７を固定本体１の位置決め溝２３に合わせる。
【００１６】
前記チェンジキーＣＫ１の差し込みによって、図１４の（ｂ）に示したように個別設定されている操作段部２４の深さに対応した距離だけタンブラピン１４が軸方向に押し込まれ、チェンジピン１５とボトムピン１６の当接点がステーター３とマガジン部１２のシャーライン上に移動させられ、ボトムピン１６は固定本体１のボトムピン孔５に押し戻される。これによって固定本体１に対するローター７の回転拘束が解除されたので、第１のチェンジキーＣＫ１の駆動溝２９からローター７の受動突起２８に回転力を伝達して、ローター７をキーコード変更位置に回転させる。
この回転は、子キーＫ１による通常の解錠操作時の回転領域内において子キーＫ１の回転方向と同じ方向になされ、回転角度だけが子キーＫ１の回転角度よりも小さくなされる。チェンジキーＣＫ１の回転停止は、固定本体１の指標部２６とチェンジキーＣＫ１の位置決め部２６を合わせることによってなされる。
【００１７】
このようにキーコード変更位置までローター７が回転したとき、図１３の（ｃ）に示したようにタンブラーピン孔１３は対応する特定のチェンジピン貯蔵孔６に対面する位置に来ている。この状態で第１のチェンジキーＣＫ１をキー嵌め入れ孔２２から抜き取ると、図１４の（ｄ）に示したようにバネ１８で前進付勢されたアンダーピン１８がチェンジピン１５とタンブラーピン１４を押し上げ、アンダーピン１８の先端部分がタンブラーピン孔４に入り込む。これによって、ローター７は固定本体１に対して回転拘束される。ボトムピン１６はマガジン部１２の背面に当接している。
【００１８】
図１５の（ａ）に示したように第１のチェンジキーＣＫ１が抜き取られ、チェンジピン貯蔵孔６とタンブラーピン孔１４が相連通しているキーコード変更位置において、操作段部２４が第２の子キーＫ２と同じに形成されている第２のチェンジキーＣＫ２をキー嵌め入れ孔２に差し込まれる。この差し込みは、固定本体１の指標部２６と第２のチェンジキーＣＫ２の位置決め部２６を合わせることによってなされる。
【００１９】
第２のチェンジキーＣＫ２を差し込むと、図１５の（ｂ）に示したように、個別設定されている操作段部２４の深さに対応して、タンブラーピン１４とチェンジピン１５が軸方向に移動し、タンブラーピン１４とチェンジピン１５の当接点がステーター３とマガジン部１２のシャーライン上に移動させられ、アンダーピン１８とチェンジピン１５は固定本体１のチェンジピン貯蔵孔６に押し戻される。これによって固定本体１に対するローター７の回転拘束が解除されたので、第２のチェンジキーＣＫ２の駆動溝２９からローター７の受動突起２８に回転力を伝達して、ローター７を反時計回り方向に回転させ、図１５の（ｃ）に示したようにローター７を施錠位置に戻す。
【００２０】
この施錠位置においては、ボトムピン孔５とタンブラーピン孔１４が相連通しており、第２のチェンジキーＣＫ２をキー嵌め入れ孔２２から抜き取ると、図１５の（ｄ）に示したように、バネ１７で前進付勢されたボトムピン１６の先端部分がタンブラーピン孔１４に入り込む。チェンジピン貯蔵孔６内に押し戻されたチェンジピン１５はバネ１８に前進付勢されたアンダーピン１８に押され、マガジン部１２の背面に当接している。
このようにチェンジピン１５がチェンジピン貯蔵庫６に取り込まれ、通常のロック動作に供されなくなったことによって、キーコードは変更され、第１の子キーＫ１の代わりに第２の子キーＫ２が使用可能になった。
【００２１】
第２の子キーＫ２の使用方法は、第１の子キーＫ１の使用方法と同じである。ローター７が施錠位置にあるときには、ボトムピン孔５とタンブラーピン孔１４が相連通しており、第２の子キーＫ２がキー嵌め入れ孔２２から抜き取られると、図１６の（ａ）に示したようにバネ１７で前進付勢されたボトムピン１６は、チェンジピン１５とタンブラーピン１４を押し上げて、その先端部分がローター７のタンブラピン孔１３に入り込み、これによってローター７は固定本体１に対して回転不能に拘束される。アンダーピン１８の先端はマガジン部１２の背面に当接している。
【００２２】
固定本体１の位置決め溝２３に第２の子キーＫ２の位置決め突起２５を合わせて、図１６の（ｂ）に示したように第２の子キーＫ２をキー嵌め入れ孔２２に差し込むと、個別設定されている操作段部２４の深さに対応した距離だけタンブラーピン１４が軸方向に押し込まれ、チェンジピン１５とボトムピン１６の当接点がステーター３とマガジン部１２のシャーライン上に移動させられ、ボトムピン１６は固定本体１のボトムピン孔５に押し戻される。これによって固定本体１に対するローター７の回転拘束が解除されたので、第２の子キーＫ２の駆動溝２９からローター７の受動突起２８に回転力を伝達して、ローター７を時計回り方向に前記所定角度だけ回転させる。
【００２３】
前記回転の終端においてストッパー９の他方の肩部９ｂが他方の回転角度規制部１１に当接することによってローター７は回転停止する。この解錠位置では、ロックプレート３０は前記ストライクから離脱しており、子キーＫ１の位置決め突起２５は、固定本体１の内向き鍔部２１の背面に係合しており、子キーＫ１の脱落が阻止されている。扉は第２の子キーＫ２または別の取手によって開放操作される。
【００２４】
所要の作業終了後、扉を閉鎖してからローター７を反時計回り方向に前記角度だけ戻し回転させると、ストッパー９の肩部９ａが回転角度規制部１０に当接し、ロックプレート３０がストライクと再度係合する。この施錠位置において第２の子キーＫ２をキー嵌め入れ孔２から抜き取ると、ピン配列は図１６の（ａ）に示した状態となり、固定本体１に対するローター７の回転拘束が再び成立する。
【００２５】
【発明の実施の形態】図示の実施例では、ステーター３は固定本体１とは別体に製作され、固定本体１の円筒状空洞部２に嵌め合わせた後、半径方向に打ち込まれた固定ピン３１によって固定本体１に対して固着されている。タンブラーピン１４の前端は、ローター７の前方部の外向き鍔部２０の背面に当接することによって、前方への脱出を阻止されている。
ローター７の受動突起２８は、断面角形ピン体をマガジン部１２の前面の受孔３２に挿入固定することによって形成され、受動突起２８はローター７の円柱状前方部に側面に密着配置されている。受動突起２８はローター７の前方部と一体に形成することができ、あるいは該前方部歩うの側面の受孔に挿入固定して設けることもできる。
【００２６】
受動突起２８を含めてタンブラーピン孔１３は４５度の角度間隔で配置されている（上部の２本のタンブラーピン同士は９０度の間隔）。すなわち、ロック機能に関与するタンブラーピン１４とボトムピン１６のピン組み合わせ体としては５組存在しており、各組に対してチェンジピン１５が加入されたり（チェンジピン貯蔵孔６からの取り出し）、あるいはチェンジピン１５が削除されること（チェンジピン貯蔵孔６への送り込み）によって、キーコードの変更が行われるようになっている。そのため、ステーター３において５個のボトムピン孔５と５個のチェンジピン貯蔵孔６が形成されており、ボトムピン孔５とそれに対応するチェンジピン貯蔵孔６は、前記一定角度を置いて隣接して配置されている。
【００２７】
全てのピン組み合わせ体においてチェンジピン１５の送り込み又は取り出しによるキーコード変更を行うことに限定される、少なくとも１組のピン組み合わせ体においてこれを行えばよい。キーコード変更を実施するピン組み合わせ体の組の数に対応して、チェンジピン貯蔵庫６とチェンジピン１５が増減変更される。本実施例では、固定本体１側の指標部２６は内向き鍔部２０の側面に形成された微小な凹部によって構成されているが、これは内向き鍔部２０の前面に付した刻印や塗布部によって構成することもできる。
【００２８】
子キーＫ１，Ｋ２やチェンジキーＣＫ１，ＣＫ２側の位置決め部２７は、キー筒状部に挿入固定された摘み板３４の一部によって構成されている。位置決め部２７は、前記指標部２６との組み合わせによって、操作者がキーコード変更位置を確認するためのものであるから、キーの筒状部外面から突き出している必要はない。筒状部外面から突出させるにしても、固定本体１の内向き鍔部２０に突き当たることのない非干渉の高さに制限される。
ストッパー９とロックプレート３０は施錠軸部８の小判型断面部に相対回転不能に嵌められ、固着用ナット３３で施錠軸部８からの抜脱を阻止されている。
【００２９】
【発明の効果】以上のように請求項１の発明の可変コード型軸方向ピンタンブラー錠では、回転始端で施錠状態となり回転終端で解錠状態となる通常の回転領域内にキーコード変更位置を設定し、子キーＫ１，Ｋ２については、施錠位置において固定本体１の位置決め溝２３を通過し、解錠位置において内向き鍔部２１の背面に係合する位置決め突起２５を筒状部の先端部外面に突設する一方、チェンジキーＣＫ１，ＣＫ２については、キーコード変更位置において筒状部をキー嵌め入れ孔２２に抜差しするとき、固定本体１側の指標部２６と位置合わせされる位置決め部２７を、固定本体１の内向き鍔部２１と干渉しないように筒状部の先端部外面に設けたので、チェンジキーＣＫ１，ＣＫ２を使用してキーコードを変更するに当って、従来のように固着用ナットを緩めてローターの施錠軸部からストッパーやロックプレートを取り外すという煩雑な作業が全く不要となり、キーコードの変更が簡単かつ迅速に行える。
【００３０】
請求項２の発明の可変コード型軸方向ピンタンブラー錠では、ローター７の前方部を円柱状としてあり、該前方部の前面には従来のように円周面より内側に入り込んだ受動用切溝を一切形成していないとともに、該前方部の外面又はマガジン部１２の前面に形成された受動突起２８がキー嵌め入れ孔２２内に位置しているため、ドライバーのような工具類を差し込んでローター７を強制的に捻じ切り回転させることは非常に困難であり、暴力破壊による不正解錠に対してセキュリティーが強化されている。
また、受動突起２８の位置、奥行き又は幅ないし高さ寸法を変更することによって鍵違い、すなわち選択変更できるキーコードの数を増やすこともできる。
【図面の簡単な説明】
【図１】本発明の一実施例に係る可変コード型軸方向ピンタンブラー錠の施錠状態の正面図である。
【図２】図１のＡ−Ａ線断面図である。
【図３】図２のＢ−Ｂ線断面図である。
【図４】図２の−Ｃ線断面図である。
【図５】図１の軸方向ピンタンブラー錠に使用する第１の子キーの左側面図である。
【図６】図５のＤ−Ｄ線断面図である。
【図７】図１の軸方向ピンタンブラー錠に使用する第１のチェンジキーの左側面図である。
【図８】図７のＥ−Ｅ線断面図である。
【図９】図１の軸方向ピンタンブラー錠に使用する第２の子キーの左側面図である。
【図１０】図９のＦ−Ｆ線断面図である。
【図１１】図１の軸方向ピンタンブラー錠に使用する第２のチェンジキーの左側面図である。
【図１２】図１１のＧ−Ｇ線断面図である。
【図１３】図５に示した第１の子キーについての動作説明図であり、（ａ）は施錠位置における各ピンの配列状態を示し、（ｂ）は施錠位置において第１の子キーを挿入して固定本体に対するローターの回転拘束を解除した状態を示し、（ｃ）は施錠位置から解錠位置まで第１の子キーを９０度回転した状態を示している。
【図１４】図７に示した第１のチェンジキーについての動作説明図であり、（ａ）は施錠位置における各ピンの配列状態を示し、（ｂ）は施錠位置において第１のチェンジキーを挿入して固定本体に対するローターの回転拘束を解除した状態を示し、（ｃ）は第１のチェンジキーを施錠位置からキーコード変更位置まで回転した状態を示し、（ｄ）はキーコード変更位置において第１のチェンジキーを抜き取った状態を示している。
【図１５】図１１に示した第２のチェンジキーについての動作説明図であり、（ａ）はコード変更位置において第１のチェンジキーが抜き取られたときの各ピンの配列状態を示し、（ｂ）はキーコード変更位置において第２のチェンジキーを挿入して固定本体に対するローターの回転拘束を解除した状態を示し、（ｃ）は第２のチェンジキーをキーコード変更位置から施錠位置まで回転させた状態を示し、（ｄ）は施錠位置において第２のチェンジキーを抜き取った状態を示している。
【図１６】図９に示した第２の子キーについての動作説明図であり、（ａ）は施錠位置における各ピンの配列状態を示し、（ｂ）は施錠位置において第２の子キーを挿入して固定本体に対するローターの回転拘束を解除した状態を示し、（ｃ）は施錠位置から解錠位置まで第２の子キーを９０度回転した状態を示している。
【図１７】図１の軸方向ピンタンブラー錠の背面図である。
【符号の説明】
１  固定本体
２  固定本体の円筒状空洞部
３  固定本体のステーター
４  固定本体の軸受孔
５  固定本体のボトムピン孔
６  固定本体のチェンジピン貯蔵孔
７  ローター
８  ローターの施錠軸部
９  ストッパー
１０  固定本体の回転角度規制部
１１  固定本体の回転角度規制部
１２  ローターのマガジン部
１３  ローターのタンブラーピン孔
１４  タンブラーピン
１５  チェンジピン
１６  ボトムピン
１７  ピン付勢用バネ
１８  アンダーピン
１９  ピン付勢用バネ
２０  ローターの外向き鍔部
２１  固定本体の内向き鍔部
２２  キー嵌め入れ孔
２３  固定本体の位置決め溝
２４  キーの操作段部
２５  位置決め突起
２６  固定本体の指標部
２７  チェンジキーの位置決め部
２８  ローターの受動突起
２９  キーの駆動溝
３０  ロックプレート
３１  ステーターの固定ピン
３２  受動突起の固定用受孔
３３  固着用ナット
３４  キーの摘み板
Ｋ１  第１の子キー
Ｋ２  第２の子キー
ＣＫ１  第１のチェンジキー
ＣＫ２  第２のチェンジキー
【図１】
2004332309.tif 000003
【図２】
2004332309.tif 000004
【図３】
2004332309.tif 000005
【図４】
2004332309.tif 000006
【図５】
2004332309.tif 000007
【図６】
2004332309.tif 000008
【図７】
2004332309.tif 000009
【図８】
2004332309.tif 000010
【図９】
2004332309.tif 000011
【図１０】
2004332309.tif 000012
【図１１】
2004332309.tif 000013
【図１２】
2004332309.tif 000014
【図１３】
2004332309.tif 000015
【図１４】
2004332309.tif 000016
【図１５】
2004332309.tif 000017
【図１６】
2004332309.tif 000018
【図１７】
2004332309.tif 000019